【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
遊技機に１対１に対応して設けられた遊技用装置であって、
取り込んだ遊技媒体を計数するための計数手段と、
該計数手段が計数した計数遊技媒体数を加算記憶する記憶手段と、
該記憶手段に記憶されている計数遊技媒体数を表示する表示手段と、
前記記憶手段に記憶されている計数遊技媒体数の範囲内の遊技媒体を払出すための払出処理を行う払出処理手段と、
前記記憶手段に記憶されている計数遊技媒体数の範囲内の遊技媒体を用いて景品と交換するための交換処理を行う交換処理手段と、
前記払出処理手段により払出された遊技媒体数及び前記交換処理に用いられた遊技媒体数を、前記記憶手段に記憶されている計数遊技媒体数から減算更新する減算更新手段と、
前記計数遊技媒体数が記録される計数記録媒体を受付けて、前記遊技用装置を管理する管理装置において該計数記録媒体の計数記録媒体識別情報に計数遊技媒体数が対応付けられている場合に、該計数記録媒体に記録されている前記計数遊技媒体数を前記記憶手段に記憶させる記憶処理手段と、
遊技を終了するときに、前記計数記録媒体を受付けている場合に、前記記憶手段に記憶されている前記計数遊技媒体数を当該計数記録媒体に記録して排出し、該計数記録媒体を識別する計数記録媒体識別情報と該計数記録媒体に記録された計数遊技媒体数とを含む通知を前記管理装置に対して送信する排出処理を行うとともに、前記計数記録媒体を受付けていない場合に、前記記憶手段に記憶されている前記計数遊技媒体数が記録された計数記録媒体を新たに発行するとともに、該計数記録媒体を識別する計数記録媒体識別情報と前記記憶手段に記憶されている前記計数遊技媒体数とを含む通知を前記管理装置に対して送信する発行処理を行う発行処理手段と、
遊技場の店員が携行するリモコン端末において所定の操作が実行されることに応じて該リモコン端末から送信される無効要求を受信する無効要求受信手段と、
該無効要求受信手段にて前記無効要求を受信したことに基づいて、前記計数記録媒体を受付けていた場合に、前記計数遊技媒体数を無効とするための無効化処理を行う無効化処理手段と、
前記無効化処理手段により前記無効化処理が行われた際に、前記計数記録媒体の前記計数遊技媒体数について無効化の旨と当該計数記録媒体を識別する計数記録媒体識別情報とを含む無効化情報を前記管理装置に送信する無効化情報送信手段と、を備えることを特徴とする遊技用装置。
【請求項２】
遊技機に１対１に対応して設けられた遊技用装置であって、
取り込んだ遊技媒体を計数するための計数手段と、
該計数手段が計数した計数遊技媒体数を加算記憶する記憶手段と、
該記憶手段に記憶されている計数遊技媒体数を表示する表示手段と、
前記記憶手段に記憶されている計数遊技媒体数の範囲内の遊技媒体を払出すための払出処理を行う払出処理手段と、
前記記憶手段に記憶されている計数遊技媒体数の範囲内の遊技媒体を用いて景品と交換するための交換処理を行う交換処理手段と、
前記払出処理手段により払出された遊技媒体数及び前記交換処理に用いられた遊技媒体数を、前記記憶手段に記憶されている計数遊技媒体数から減算更新する減算更新手段と、
前記計数遊技媒体数が記録される計数記録媒体であって、計数された当日においてのみ前記計数遊技媒体数が有効とされる一般用計数記録媒体または計数された当日後においても前記計数遊技媒体数が有効とされる会員用計数記録媒体を受付け可能であり、前記遊技用装置を管理する管理装置において該計数記録媒体の計数記録媒体識別情報に計数遊技媒体数が対応付けられている場合に、前記一般用計数記録媒体または前記会員用計数記録媒体から特定した前記計数遊技媒体数を前記記憶手段に記憶させる記憶処理手段と、
遊技を終了するときに、前記一般用計数記録媒体を受付けている場合に、前記記憶手段に記憶されている前記計数遊技媒体数を当該一般用計数記録媒体に記録して排出し、該一般用計数記録媒体を識別する計数記録媒体識別情報と該一般用計数記録媒体に記録された計数遊技媒体数とを含む通知を前記管理装置に対して送信する排出処理を行うとともに、前記一般用計数記録媒体および前記会員用計数記録媒体を受付けていない場合に、前記記憶手段に記憶されている前記計数遊技媒体数が記録された前記一般用計数記録媒体を新たに発行するとともに、該一般用計数記録媒体を識別する計数記録媒体識別情報と前記記憶手段に記憶されている前記計数遊技媒体数とを含む通知を前記管理装置に対して送信する発行処理を行う発行処理手段と、
前記管理装置から営業終了に際して送信される営業終了時処理要求を受信する終了時処理要求受信手段と、
該終了時処理要求受信手段にて前記営業終了時処理要求を受信したことに基づいて、前記一般用計数記録媒体を受付けていた場合に、前記計数遊技媒体数を無効とするための無効化処理を行う無効化処理手段と、
前記無効化処理手段により前記無効化処理が行われた際に、前記一般用計数記録媒体の前記計数遊技媒体数について無効化の旨と当該一般用計数記録媒体を識別する計数記録媒体識別情報とを含む無効化情報を前記管理装置に送信する無効化情報送信手段と、を備えることを特徴とする遊技用装置。
【手続補正２】
【補正対象書類名】明細書
【補正対象項目名】発明の名称
【補正方法】変更
【補正の内容】
【発明の名称】遊技用装置
【手続補正３】
【補正対象書類名】明細書
【補正対象項目名】０００１
【補正方法】変更
【補正の内容】
【０００１】
本発明は、遊技機に１対１に対応して設けられ、取り込んだ遊技媒体を計数し、該計数した計数遊技媒体数を加算記憶し、該記憶手段に記憶されている計数遊技媒体数を表示し、前記記憶されている計数遊技媒体数の範囲内の遊技媒体を払出すための払出処理を行い、前記記憶されている計数遊技媒体数の範囲内の遊技媒体と景品とを交換するための交換処理を行い、前記払出処理により払出された遊技媒体数及び前記交換処理に供された遊技媒体数を、前記記憶手段に記憶されている計数遊技媒体数から減算更新する遊技用装置に関する。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
【特許文献１】特開平５−４２２５０号公報
【特許文献２】特開２００３−１９０６０８号公報
【手続補正６】
【補正対象書類名】明細書
【補正対象項目名】０００７
【補正方法】変更
【補正の内容】
【０００７】
しかしながら、これら特許文献１，２に基づくものにあっては、排出されたカードが遊技場内のどの遊技用装置に存在するのかを各遊技用装置を巡回探索して回収する必要があるばかりか、該回収したカードを景品カウンタに設けられたカード処理機に持参して１枚ずつ挿入しなければならず、営業終了時における作業負荷が大きいと共に作業時間も長くかかり煩わしいという問題がある。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明は、このような背景のもとになされたものであり、その目的は、前記問題を解消し、各遊技用装置から排出されたカードを巡回探索して回収する必要や、回収したカードを景品カウンタに設けられたカード処理機に持参して１枚ずつ挿入する必要がなく、営業終了時における作業負荷や作業時間を低減することができるような遊技用装置を提供することにある。
【手続補正１０】
【補正対象書類名】明細書
【補正対象項目名】００１１
【補正方法】変更
【補正の内容】
【００１１】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
まず請求項１に係る発明は、
遊技機に１対１に対応して設けられた遊技用装置であって、
取り込んだ遊技媒体を計数するための計数手段と、
該計数手段が計数した計数遊技媒体数を加算記憶する記憶手段と、
該記憶手段に記憶されている計数遊技媒体数を表示する表示手段と、
前記記憶手段に記憶されている計数遊技媒体数の範囲内の遊技媒体を払出すための払出処理を行う払出処理手段と、
前記記憶手段に記憶されている計数遊技媒体数の範囲内の遊技媒体を用いて景品と交換するための交換処理を行う交換処理手段と、
前記払出処理手段により払出された遊技媒体数及び前記交換処理に用いられた遊技媒体数を、前記記憶手段に記憶されている計数遊技媒体数から減算更新する減算更新手段と、
前記計数遊技媒体数が記録される計数記録媒体を受付けて、前記遊技用装置を管理する管理装置において該計数記録媒体の計数記録媒体識別情報に計数遊技媒体数が対応付けられている場合に、該計数記録媒体に記録されている前記計数遊技媒体数を前記記憶手段に記憶させる記憶処理手段と、
遊技を終了するときに、前記計数記録媒体を受付けている場合に、前記記憶手段に記憶されている前記計数遊技媒体数を当該計数記録媒体に記録して排出し、該計数記録媒体を識別する計数記録媒体識別情報と該計数記録媒体に記録された計数遊技媒体数とを含む通知を前記管理装置に対して送信する排出処理を行うとともに、前記計数記録媒体を受付けていない場合に、前記記憶手段に記憶されている前記計数遊技媒体数が記録された計数記録媒体を新たに発行するとともに、該計数記録媒体を識別する計数記録媒体識別情報と前記記憶手段に記憶されている前記計数遊技媒体数とを含む通知を前記管理装置に対して送信する発行処理を行う発行処理手段と、
遊技場の店員が携行するリモコン端末において所定の操作が実行されることに応じて該リモコン端末から送信される無効要求を受信する無効要求受信手段と、
該無効要求受信手段にて前記無効要求を受信したことに基づいて、前記計数記録媒体を受付けていた場合に、前記計数遊技媒体数を無効とするための無効化処理を行う無効化処理手段と、
前記無効化処理手段により前記無効化処理が行われた際に、前記計数記録媒体の前記計数遊技媒体数について無効化の旨と当該計数記録媒体を識別する計数記録媒体識別情報とを含む無効化情報を前記管理装置に送信する無効化情報送信手段と、を備えることを特徴とする遊技用装置である。
この請求項１に係る遊技用装置によれば、遊技場の店員が携行するリモコン端末から無効要求を受信するのみで、計数記録媒体に記録されている計数遊技媒体数が無効とされるようになるので、遊技用装置から排出されたカードを巡回探索して回収する必要や、回収したカードをカード処理機に持参して１枚ずつ挿入する必要がなく、営業終了時における作業負荷や作業時間を低減することができる。
また請求項２に係る発明は、
遊技機に１対１に対応して設けられた遊技用装置であって、
取り込んだ遊技媒体を計数するための計数手段と、
該計数手段が計数した計数遊技媒体数を加算記憶する記憶手段と、
該記憶手段に記憶されている計数遊技媒体数を表示する表示手段と、
前記記憶手段に記憶されている計数遊技媒体数の範囲内の遊技媒体を払出すための払出処理を行う払出処理手段と、
前記記憶手段に記憶されている計数遊技媒体数の範囲内の遊技媒体を用いて景品と交換するための交換処理を行う交換処理手段と、
前記払出処理手段により払出された遊技媒体数及び前記交換処理に用いられた遊技媒体数を、前記記憶手段に記憶されている計数遊技媒体数から減算更新する減算更新手段と、
前記計数遊技媒体数が記録される計数記録媒体であって、計数された当日においてのみ前記計数遊技媒体数が有効とされる一般用計数記録媒体または計数された当日後においても前記計数遊技媒体数が有効とされる会員用計数記録媒体を受付け可能であり、前記遊技用装置を管理する管理装置において該計数記録媒体の計数記録媒体識別情報に計数遊技媒体数が対応付けられている場合に、前記一般用計数記録媒体または前記会員用計数記録媒体から特定した前記計数遊技媒体数を前記記憶手段に記憶させる記憶処理手段と、
遊技を終了するときに、前記一般用計数記録媒体を受付けている場合に、前記記憶手段に記憶されている前記計数遊技媒体数を当該一般用計数記録媒体に記録して排出し、該一般用計数記録媒体を識別する計数記録媒体識別情報と該一般用計数記録媒体に記録された計数遊技媒体数とを含む通知を前記管理装置に対して送信する排出処理を行うとともに、前記一般用計数記録媒体および前記会員用計数記録媒体を受付けていない場合に、前記記憶手段に記憶されている前記計数遊技媒体数が記録された前記一般用計数記録媒体を新たに発行するとともに、該一般用計数記録媒体を識別する計数記録媒体識別情報と前記記憶手段に記憶されている前記計数遊技媒体数とを含む通知を前記管理装置に対して送信する発行処理を行う発行処理手段と、
前記管理装置から営業終了に際して送信される営業終了時処理要求を受信する終了時処理要求受信手段と、
該終了時処理要求受信手段にて前記営業終了時処理要求を受信したことに基づいて、前記一般用計数記録媒体を受付けていた場合に、前記計数遊技媒体数を無効とするための無効化処理を行う無効化処理手段と、
前記無効化処理手段により前記無効化処理が行われた際に、前記一般用計数記録媒体の前記計数遊技媒体数について無効化の旨と当該一般用計数記録媒体を識別する計数記録媒体識別情報とを含む無効化情報を前記管理装置に送信する無効化情報送信手段と、を備えることを特徴とする遊技用装置である。
この請求項２に係る遊技用装置によれば、営業終了に際して管理装置から営業終了時処理要求を送信するのみで、一般用記録媒体に記録されている計数遊技媒体数が無効とされるようになるので、遊技用装置から排出されたカードを巡回探索して回収する必要や、回収したカードをカード処理機に持参して１枚ずつ挿入する必要がなく、営業終了時における作業負荷や作業時間を低減することができる。
【手続補正１１】
【補正対象書類名】明細書
【補正対象項目名】００１２
【補正方法】変更
【補正の内容】
【００１２】
また本願は、以下の発明も含む。
まず手段１に係る発明は、
遊技者が獲得し貯蓄された貯蓄遊技媒体数（貯玉数）を遊技用記録媒体（会員カード２）の識別情報（カードＩＤ）に対応付けて管理する管理手段（獲得玉数管理装置６１）と通信可能であり、遊技機（パチンコ機１０）に対応して設けられる遊技用装置（各台計数ユニット５０）であって、
遊技者が獲得した遊技媒体（パチンコ玉）を計数する計数手段（玉カウンタ３５）と、
前記遊技用記録媒体を受け付ける受付手段（カードＲ／Ｗ２３）と、
該受付手段が受け付けている遊技用記録媒体の識別情報を前記管理手段に対して送信する（Ｓｂ０９で、カードＩＤ等を含むカード受付通知を獲得玉数管理装置６１に対して送信する）と共に、該送信した識別情報に対応付けて前記管理手段が管理している貯蓄遊技媒体数を特定可能な貯蓄遊技媒体数特定情報を受信する（Ｓｂ１０で、貯玉数等を含むカード受付通知を受信する）通信手段（場内通信部２１ｂ，玉貸発券制御部２２）と、
前記管理手段が管理している貯蓄遊技媒体数の範囲内で遊技媒体を払い出すための払出処理であって、所定の手数料が設定されている場合には前記貯蓄遊技媒体数から該手数料分を減算した貯蓄遊技媒体数の範囲内で遊技媒体を払い出すための第１払出処理（Ｓａ１５の再プレイ処理）を行う第１払出処理手段（玉貸発券制御部２２）と、
前記計数手段が計数した計数遊技媒体数（計数玉数＋持玉数＝手元持玉数）の範囲内で遊技媒体を払い出すための第２払出処理（Ｓａ１４の払出処理）を行う第２払出処理手段（玉貸発券制御部２２）と、
残存する前記計数遊技媒体数を特定可能な計数遊技媒体数特定情報（カードＩＤ）が記録された前記遊技用記録媒体（ビジタカード３）を排出する排出処理（Ｓａ１７のカード返却処理）を行う排出処理手段（玉貸発券制御部２２）と、
所定数の遊技媒体と所望の物品とを交換するための交換操作を受け付ける交換操作受付手段（Ｓａ０６でリモコンから送信される交換要求を受信する赤外線受光部２７，玉貸発券制御部２２）と、を有し、
前記通信手段は、前記交換操作を受け付けたこと（Ｓａ０６でＹＥＳ）に基づいて、前記貯蓄遊技媒体数が前記所定数以上であること（Ｓｉ０６でＹＥＳ）を条件として、前記計数遊技媒体数の有無に関わらず、前記貯蓄遊技媒体数から前記所定数を減算させるための減算要求（Ｓｉ１３）を前記管理手段に対して送信し、
また前記通信手段は、前記管理手段から営業終了に際して送信される営業終了時処理要求（締め処理信号）を受信し（Ｓｎ０１）、
該営業終了時処理要求を受信したこと（Ｓｎ０１でＹＥＳ）に基づいて、前記計数遊技媒体数が有ること（Ｓｎ２１でＹＥＳ）を条件として、前記排出処理を行うことなく、該計数遊技媒体数を無効とするための無効化処理（Ｓｎ２２）を行う無効化処理手段（玉貸発券制御部２２）をさらに有することを特徴とする遊技用装置である。
この手段１に係る遊技用装置によれば、営業終了に際して管理手段から営業終了時処理要求を送信するのみで、計数手段が計数した計数遊技媒体数を特定可能な計数遊技媒体数特定情報が記録された遊技用記録媒体を排出することなく、該計数遊技媒体数が無効とされるので、遊技用装置から排出されたカードを巡回探索して回収する必要や、回収したカードをカード処理機に持参して１枚ずつ挿入する必要がなく、営業終了時における作業負荷や作業時間を低減することができる。また管理手段が管理している貯蓄遊技媒体数が所望の物品との交換に必要な所定数以上であれば、計数手段が計数した計数遊技媒体数の有無に関わらず、貯蓄遊技媒体数から所定数が減算されるので、貯蓄遊技媒体数を優先的に物品の交換に使用することとなり、計数遊技媒体数が極力温存されることになる。その結果、貯蓄遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正１２】
【補正対象書類名】明細書
【補正対象項目名】００１３
【補正方法】変更
【補正の内容】
【００１３】
また手段２に係る発明は、
手段１に記載した遊技用装置（各台計数ユニット５０）であって、
前記交換操作を受け付けたこと（Ｓａ０６でＹＥＳ）に基づいて、前記貯蓄遊技媒体数（貯玉数）が前記所定数（交換玉数）より少ないこと（Ｓｉ０６でＮＯ）を条件として、前記計数遊技媒体数（計数玉数＋持玉数＝手元持玉数）から該所定数に対する不足分を減算する不足分減算処理（Ｓｉ２２又はＳｉ２４）を行う不足分減算手段（玉貸発券制御部２２）と、
該不足分減算処理を行った旨を報知する（Ｓｉ３８）不足分減算報知手段（ディスプレイ２４，玉貸発券制御部２２）と、をさらに有し、
前記通信手段（場内通信部２１ｂ，玉貸発券制御部２２）は、前記貯蓄遊技媒体数から前記所定数に対する充足分を減算させるための減算要求（Ｓｉ３３）を前記管理手段（獲得玉数管理装置６１）に対して送信することを特徴とする遊技用装置である。
この手段２に係る遊技用装置によれば、管理手段が管理している貯蓄遊技媒体数が所望の物品との交換に必要な所定数より少ないときに、その所定数に対する不足分だけ、計数手段が計数した計数遊技媒体数から減算されるため、貯蓄遊技媒体数を優先的に物品の交換に使用してその不足分だけ計数遊技媒体数から減算することとなり、計数遊技媒体数が極力温存されることになる。その結果、貯蓄遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正１３】
【補正対象書類名】明細書
【補正対象項目名】００１４
【補正方法】変更
【補正の内容】
【００１４】
また手段３に係る発明は、
手段１又は２に記載した遊技用装置（各台計数ユニット５０）であって、
前記通信手段（場内通信部２１ｂ，玉貸発券制御部２２）は、
前記第１払出処理（Ｓａ１５の再プレイ処理）による遊技媒体の払出に伴って、前記貯蓄遊技媒体数（貯玉数）から該第１払出処理により払い出す遊技媒体数（払出設定数＋手数料玉数）を減算させるための通信を所定の減算シーケンス（Ｓｈ１１〜Ｓｈ１５）に従って行うと共に、
前記貯蓄遊技媒体数から前記所定数（交換玉数）を減算させるための減算要求を送信するための通信も前記所定の減算シーケンス（Ｓｉ１１〜Ｓｉ１５）に従って行うことを特徴とする遊技用装置である。
この手段３に係る遊技用装置によれば、管理手段が管理している貯蓄遊技媒体数から第１払出処理により払い出す遊技媒体数を減算させるための通信が所定の減算シーケンスに従って行われ、物品の交換に際して管理手段が管理している貯蓄遊技媒体数から所定数を減算させるための減算要求を送信するための通信も前記所定の減算シーケンスに従って行われるために、第１払出処理時の減算シーケンスと同じ減算シーケンスが物品の交換時にも用いられ、同じものを利用できるので好ましい。
【手続補正１４】
【補正対象書類名】明細書
【補正対象項目名】００１５
【補正方法】変更
【補正の内容】
【００１５】
また手段４に係る発明は、
遊技者が獲得し貯蓄された貯蓄遊技媒体数（貯玉数）を遊技用記録媒体（会員カード２）の識別情報（カードＩＤ）に対応付けて管理する管理手段（獲得玉数管理装置６１）と通信可能であり、遊技機（パチンコ機１０）に対応して設けられる遊技用装置（第３実施形態に係る各台計数ユニット５０）であって、
遊技者が獲得した遊技媒体（パチンコ玉）を計数する計数手段（玉カウンタ３５）と、
前記遊技用記録媒体を受け付ける受付手段（カードＲ／Ｗ２３）と、
該受付手段が受け付けている遊技用記録媒体の識別情報を前記管理手段に対して送信する（Ｓｂ０９で、カードＩＤ等を含むカード受付通知を獲得玉数管理装置６１に対して送信する）と共に、該送信した識別情報に対応付けて前記管理手段が管理している貯蓄遊技媒体数を特定可能な貯蓄遊技媒体数特定情報を受信する（Ｓｂ１０で、貯玉数等を含むカード受付通知を受信する）通信手段（場内通信部２１ｂ，玉貸発券制御部２２）と、
前記管理手段が管理している貯蓄遊技媒体数の範囲内で遊技媒体を払い出すための払出処理であって、所定の手数料が設定されている場合には前記貯蓄遊技媒体数から該手数料分を減算した貯蓄遊技媒体数の範囲内で遊技媒体を払い出すための第１払出処理（Ｓａ１５の再プレイ処理）を行う第１払出処理手段（玉貸発券制御部２２）と、
前記計数手段が計数した計数遊技媒体数（計数玉数＋持玉数＝手元持玉数）の範囲内で遊技媒体を払い出すための第２払出処理（Ｓａ１４の払出処理）を行う第２払出処理手段（玉貸発券制御部２２）と、
残存する前記計数遊技媒体数を特定可能な計数遊技媒体数特定情報（カードＩＤ）が記録された前記遊技用記録媒体（ビジタカード３）を排出する排出処理（Ｓａ１７のカード返却処理）を行う排出処理手段（玉貸発券制御部２２）と、
所定数の遊技媒体と所望の物品とを交換するための交換操作を受け付ける交換操作受付手段（Ｓａ０６でリモコンから送信される交換要求を受信する赤外線受光部２７，玉貸発券制御部２２）と、
前記交換操作を受け付けたことに基づいて、前記貯蓄遊技媒体数特定情報から特定される貯蓄遊技媒体数である特定遊技媒体数（カードテーブルで記憶している貯玉数）が前記所定数以上であること（Ｓｉ０６でＹＥＳ）を条件として、前記計数遊技媒体数の有無に関わらず、前記特定遊技媒体数から前記所定数を減算した減算結果を算出する（Ｓｉ０７ａ）減算結果算出手段（玉貸発券制御部２２）と、を有し、
前記通信手段は、前記貯蓄遊技媒体数が前記減算結果に従った貯蓄遊技媒体数となるように更新させるための更新要求（Ｓｉ１３ａ）を前記管理手段に対して送信し、
また前記通信手段は、前記管理手段から営業終了に際して送信される営業終了時処理要求（締め処理信号）を受信し（Ｓｎ０１）、
該営業終了時処理要求を受信したこと（Ｓｎ０１でＹＥＳ）に基づいて、前記計数遊技媒体数が有ること（Ｓｎ２１でＹＥＳ）を条件として、前記排出処理を行うことなく、該計数遊技媒体数を無効とするための無効化処理（Ｓｎ２２）を行う無効化処理手段（玉貸発券制御部２２）をさらに有することを特徴とする遊技用装置である。
この手段４に係る遊技用装置によれば、営業終了に際して管理手段から営業終了時処理要求を送信するのみで、計数手段が計数した計数遊技媒体数を特定可能な計数遊技媒体数特定情報が記録された遊技用記録媒体を排出することなく、該計数遊技媒体数が無効とされるので、遊技用装置から排出されたカードを巡回探索して回収する必要や、回収したカードをカード処理機に持参して１枚ずつ挿入する必要がなく、営業終了時における作業負荷や作業時間を低減することができる。また管理手段が管理している貯蓄遊技媒体数を特定可能で該管理手段から受信した貯蓄遊技媒体数特定情報から特定される特定遊技媒体数が所望の物品との交換に必要な所定数以上であれば、計数手段が計数した計数遊技媒体数の有無に関わらず、特定遊技媒体数から所定数が減算されるので、特定遊技媒体数を優先的に物品の交換に使用することとなり、計数遊技媒体数が極力温存されることになる。その結果、特定遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正１５】
【補正対象書類名】明細書
【補正対象項目名】００１６
【補正方法】変更
【補正の内容】
【００１６】
また手段５に係る発明は、
手段４に記載した遊技用装置（第３実施形態に係る玉貸発券制御部２２）であって、
前記交換操作を受け付けたこと（Ｓａ０６でＹＥＳ）に基づいて、前記特定遊技媒体数（カードテーブルで記憶している貯玉数）が前記所定数（交換玉数）より少ないことを条件として、前記計数遊技媒体数（計数玉数＋持玉数＝手元持玉数）から該所定数に対する不足分を減算する不足分減算処理（Ｓｉ２２又はＳｉ２４）を行う不足分減算手段（玉貸発券制御部２２）と、
該不足分減算処理を行った旨を報知する（Ｓｉ３８）不足分減算報知手段（ディスプレイ２４，玉貸発券制御部２２）と、をさらに有し、
前記通信手段（場内通信部２１ｂ，玉貸発券制御部２２）は、前記貯蓄遊技媒体数を零に更新させるための更新要求（Ｓｉ３３ａ）を前記管理手段（獲得玉数管理装置６１）に対して送信することを特徴とする遊技用装置である。
この手段５に係る遊技用装置によれば、管理手段が管理している貯蓄遊技媒体数を特定可能で該管理手段から受信した貯蓄遊技媒体数特定情報から特定される特定遊技媒体数が所望の物品との交換に必要な所定数より少ないときに、その所定数に対する不足分だけ、計数手段が計数した計数遊技媒体数から減算されるため、特定遊技媒体数を優先的に物品の交換に使用してその不足分だけ計数遊技媒体数から減算することとなり、計数遊技媒体数が極力温存されることになる。その結果、特定遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正１６】
【補正対象書類名】明細書
【補正対象項目名】００１７
【補正方法】変更
【補正の内容】
【００１７】
また手段６に係る発明は、
手段１〜５のいずれか１つに記載した遊技用装置（各台計数ユニット５０）であって、
前記排出処理手段（玉貸発券制御部２２）は、前記残存する計数遊技媒体数（手元持玉数）を記録した前記遊技用記録媒体（ビジタカード３）を排出する前記排出処理（Ｓａ１７のカード返却処理）を行い、
前記第２払出処理手段（玉貸発券制御部２２）は、前記受付手段（カードＲ／Ｗ２３）により受け付けた遊技用記録媒体に記録されている計数遊技媒体数の範囲内で遊技媒体を払い出すための前記第２払出処理（Ｓａ１４の払出処理）を行い、
前記受付手段が受け付けている遊技用記録媒体に記録されている計数遊技媒体数が存在するか否かを判定する（Ｓｎ１１）判定手段（玉貸発券制御部２２）と、
前記遊技用記録媒体を貯留する貯留手段（カードストッカ２３ｂ）と、をさらに有し、
前記無効化処理手段（玉貸発券制御部２２）は、前記判定手段により計数遊技媒体数が存在すると判定されたこと（Ｓｎ１１でＹＥＳ）を条件として、当該計数遊技媒体数を無効化する記録無効化処理（Ｓｎ１２）を含む前記無効化処理を行って、前記遊技用記録媒体を前記貯留手段に貯留させる（Ｓｎ１５）ことを特徴とする遊技用装置である。
この手段６に係る遊技用装置によれば、受付中の遊技用記録媒体に記録されている計数遊技媒体数が存在している場合にも、該計数遊技媒体数が無効化されて遊技用記録媒体が貯留されるので、計数遊技媒体数が無効化されずに排出された遊技用記録媒体を回収してカード処理機で該計数遊技媒体数を無効化する手間や、該計数遊技媒体数を無効化した遊技用記録媒体を再び遊技用装置に補充する手間を解消することができる。
【手続補正１７】
【補正対象書類名】明細書
【補正対象項目名】００１８
【補正方法】変更
【補正の内容】
【００１８】
また手段７に係る発明は、
手段６に記載した遊技用装置（各台計数ユニット５０）であって、
前記遊技用記録媒体には、計数された当日においてのみ前記計数遊技媒体数（手元持玉数）が有効とされる一般用記録媒体（ビジタカード３）であるか、あるいは、計数された当日後においても前記計数遊技媒体数（貯玉数）が有効とされる会員用記録媒体（会員カード２）であるかを識別可能な記録媒体種別情報（カードＩＤ）が記録され、
前記無効化処理手段（玉貸発券制御部２２）は、前記受付手段（カードＲ／Ｗ２３）が受け付けている遊技用記録媒体の記録媒体種別情報に基づいて、該遊技用記録媒体が前記一般用記録媒体であると識別したこと（Ｓｎ０３でＮＯ）を条件として、前記記録無効化処理（Ｓｎ１２）を行って、該一般用記録媒体を前記貯留手段（カードストッカ２３ｂ）に貯留させる（Ｓｎ１５）一方、該遊技用記録媒体が前記会員用記録媒体であると識別したこと（Ｓｎ０３でＹＥＳ）を条件として、前記記録無効化処理を行うことなく該会員用記録媒体を前記受付手段から排出させる（Ｓｎ０４）ことを特徴とする遊技用装置である。
この手段７に係る遊技用装置によれば、遊技用装置に会員用記録媒体が忘れられていたとしても、該会員用記録媒体の計数遊技媒体数特定情報から特定される計数遊技媒体数が無効とされて会員が不利益を被ることがないので、営業終了時処理要求の送信に際して、遊技用装置に会員用記録媒体が忘れられていないかを確認して排出する必要がなく、営業終了時における作業負荷や作業時間を一層低減することができると共に、これら忘れられていた会員用記録媒体が自動的に排出されるので、該会員用記録媒体の回収を簡便に行うこともできる。
【手続補正１８】
【補正対象書類名】明細書
【補正対象項目名】００１９
【補正方法】変更
【補正の内容】
【００１９】
また手段８に係る発明は、
手段１〜７のいずれか１つに記載した遊技用装置（各台計数ユニット５０）であって、
前記遊技用記録媒体（ビジタカード３）には、遊技に使用可能な遊技用価値の大きさ（プリペイド残額）を特定可能な遊技用価値特定情報（カードＩＤ，プリペイド残額）が記録され、
前記受付手段（カードＲ／Ｗ２３）が受け付けている遊技用記録媒体の遊技用価値特定情報から特定される遊技用価値の大きさを前記対応する遊技機（パチンコ機１０）での遊技に使用させると共に該使用された遊技用価値の大きさを減算更新するための使用処理（Ｓａ１２の玉貸処理）を行う使用処理手段（玉貸発券制御部２２）をさらに有し、
前記無効化処理手段（玉貸発券制御部２２）は、前記無効化処理（Ｓｎ２２）により前記計数遊技媒体数を無効化した前記遊技用記録媒体の遊技用価値特定情報から特定される遊技用価値の大きさが有ること（Ｓｎ１４でＹＥＳ）を条件として、該遊技用記録媒体を前記受付手段から排出させる（Ｓｎ１５）ことを特徴とする遊技用装置である。
この手段８に係る遊技用装置によれば、計数遊技媒体数を無効化した遊技用記録媒体に遊技用価値が存在すれば、遊技用価値は無効とされることなく該遊技用記録媒体が排出され、該遊技用記録媒体の所有者は、排出された該遊技用記録媒体の返却を受けて遊技用価値を遊技に使用できるので、遊技用価値について遊技者が不利益を被ることがないばかりか、所有者に返却する必要がある遊技用価値が存在する遊技用記録媒体が自動的に判別されて排出されるので、遊技用価値が存在する遊技用記録媒体の回収を簡便に実施することができる。
【手続補正１９】
【補正対象書類名】明細書
【補正対象項目名】００２０
【補正方法】変更
【補正の内容】
【００２０】
また手段９に係る発明は、
手段１〜８のいずれか１つに記載した遊技用装置（各台計数ユニット５０）であって、
前記無効化処理（Ｓｎ２２）により無効化した計数遊技媒体数（計数玉数）を特定可能な無効化情報を前記管理手段（獲得玉数管理装置６１）に対して送信する（Ｓｎ２３）無効化情報送信手段（場内通信部２１ｂ，玉貸発券制御部２２）をさらに有することを特徴とする遊技用装置である。
この手段９に係る遊技用装置によれば、管理手段において、個々の遊技用装置にて無効化された計数遊技媒体数を把握できるとともに、個々の遊技用装置にて無効化された計数遊技媒体数を集計することで、無効化された計数遊技媒体数の総数を正確且つ簡便に把握することができる。
【手続補正２０】
【補正対象書類名】明細書
【補正対象項目名】００２１
【補正方法】変更
【補正の内容】
【００２１】
また手段１０に係る発明は、
遊技機（パチンコ機１０）に対応して設けられる遊技用装置（各台計数ユニット５０）と、該遊技用装置と通信可能であり、遊技者が獲得し貯蓄された貯蓄遊技媒体数（貯玉数）を遊技用記録媒体（会員カード２）の識別情報（カードＩＤ）に対応付けて管理する管理手段（獲得玉数管理装置６１）と、を備える遊技用システム（１）であって、
前記遊技用装置は、
遊技者が獲得した遊技媒体（パチンコ玉）を計数する計数手段（玉カウンタ３５）と、
前記遊技用記録媒体を受け付ける受付手段（カードＲ／Ｗ２３）と、
該受付手段が受け付けている遊技用記録媒体の識別情報を前記管理手段に対して送信する（Ｓｂ０９で、カードＩＤ等を含むカード受付通知を獲得玉数管理装置６１に対して送信する）と共に、該送信した識別情報に対応付けて前記管理手段が管理している貯蓄遊技媒体数を特定可能な貯蓄遊技媒体数特定情報を受信する（Ｓｂ１０で、貯玉数等を含むカード受付通知を受信する）通信手段（場内通信部２１ｂ，玉貸発券制御部２２）と、
前記管理手段が管理している貯蓄遊技媒体数の範囲内で遊技媒体を払い出すための払出処理であって、所定の手数料が設定されている場合には前記貯蓄遊技媒体数から該手数料分を減算した貯蓄遊技媒体数の範囲内で遊技媒体を払い出すための第１払出処理（Ｓａ１５の再プレイ処理）を行う第１払出処理手段（玉貸発券制御部２２）と、
前記計数手段が計数した計数遊技媒体数（計数玉数＋持玉数＝手元持玉数）の範囲内で遊技媒体を払い出すための第２払出処理（Ｓａ１４の払出処理）を行う第２払出処理手段（玉貸発券制御部２２）と、
残存する前記計数遊技媒体数を特定可能な計数遊技媒体数特定情報（カードＩＤ）が記録された前記遊技用記録媒体（ビジタカード３）を排出する排出処理（Ｓａ１７のカード返却処理）を行う排出処理手段（玉貸発券制御部２２）と、
所定数の遊技媒体と所望の物品とを交換するための交換操作を受け付ける交換操作受付手段（Ｓａ０６でリモコンから送信される交換要求を受信する赤外線受光部２７，玉貸発券制御部２２）と、を有し、
前記通信手段は、前記交換操作を受け付けたこと（Ｓａ０６でＹＥＳ）に基づいて、前記貯蓄遊技媒体数が前記所定数以上であること（Ｓｉ０６でＹＥＳ）を条件として、前記計数遊技媒体数の有無に関わらず、前記貯蓄遊技媒体数から前記所定数を減算させるための減算要求（Ｓｉ１３）を前記管理手段に対して送信し、
前記管理手段は、前記減算要求を受信したことに基づいて、前記貯蓄遊技媒体数から前記所定数を減算する（Ｓｉ１４）交換遊技媒体数減算手段をさらに有し、
前記通信手段は、前記管理手段から営業終了に際して送信される営業終了時処理要求（締め処理信号）を受信し（Ｓｎ０１）、
前記遊技用装置は、該営業終了時処理要求を受信したこと（Ｓｎ０１でＹＥＳ）に基づいて、前記計数遊技媒体数が有ること（Ｓｎ２１でＹＥＳ）を条件として、前記排出処理を行うことなく、該計数遊技媒体数を無効とするための無効化処理（Ｓｎ２２）を行う無効化処理手段（玉貸発券制御部２２）をさらに有することを特徴とする遊技用システムである。
この手段１０に係る遊技用システムによれば、営業終了に際して管理手段から営業終了時処理要求を送信するのみで、計数手段が計数した計数遊技媒体数を特定可能な計数遊技媒体数特定情報が記録された遊技用記録媒体を排出することなく、該計数遊技媒体数が無効とされるので、遊技用装置から排出されたカードを巡回探索して回収する必要や、回収したカードをカード処理機に持参して１枚ずつ挿入する必要がなく、営業終了時における作業負荷や作業時間を低減することができる。また管理手段が管理している貯蓄遊技媒体数が所望の物品との交換に必要な所定数以上であれば、計数手段が計数した計数遊技媒体数の有無に関わらず、貯蓄遊技媒体数から所定数が減算されるので、貯蓄遊技媒体数を優先的に物品の交換に使用することとなり、計数遊技媒体数が極力温存されることになる。その結果、貯蓄遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正２１】
【補正対象書類名】明細書
【補正対象項目名】００２２
【補正方法】変更
【補正の内容】
【００２２】
さらに手段１１に係る発明は、
遊技機（パチンコ機１０）に対応して設けられる遊技用装置（各台計数ユニット５０）と、該遊技用装置と通信可能であり、遊技者が獲得し貯蓄された貯蓄遊技媒体数（貯玉数）を遊技用記録媒体（会員カード２）の識別情報（カードＩＤ）に対応付けて管理する管理手段（獲得玉数管理装置６１）と、を備える遊技用システム（１）であって、
前記遊技用装置は、
遊技者が獲得した遊技媒体（パチンコ玉）を計数する計数手段（玉カウンタ３５）と、
前記遊技用記録媒体を受け付ける受付手段（カードＲ／Ｗ２３）と、
該受付手段が受け付けている遊技用記録媒体の識別情報を前記管理手段に対して送信する（Ｓｂ０９で、カードＩＤ等を含むカード受付通知を獲得玉数管理装置６１に対して送信する）と共に、該送信した識別情報に対応付けて前記管理手段が管理している貯蓄遊技媒体数を特定可能な貯蓄遊技媒体数特定情報を受信する（Ｓｂ１０で、貯玉数等を含むカード受付通知を受信する）通信手段（場内通信部２１ｂ，玉貸発券制御部２２）と、
前記管理手段が管理している貯蓄遊技媒体数の範囲内で遊技媒体を払い出すための払出処理であって、所定の手数料が設定されている場合には前記貯蓄遊技媒体数から該手数料分を減算した貯蓄遊技媒体数の範囲内で遊技媒体を払い出すための第１払出処理（Ｓａ１５の再プレイ処理）を行う第１払出処理手段（玉貸発券制御部２２）と、
前記計数手段が計数した計数遊技媒体数（計数玉数＋持玉数＝手元持玉数）の範囲内で遊技媒体を払い出すための第２払出処理（Ｓａ１４の払出処理）を行う第２払出処理手段（玉貸発券制御部２２）と、
残存する前記計数遊技媒体数を特定可能な計数遊技媒体数特定情報（カードＩＤ）が記録された前記遊技用記録媒体（ビジタカード３）を排出する排出処理（Ｓａ１７のカード返却処理）を行う排出処理手段（玉貸発券制御部２２）と、
所定数の遊技媒体と所望の物品とを交換するための交換操作を受け付ける交換操作受付手段（Ｓａ０６でリモコンから送信される交換要求を受信する赤外線受光部２７，玉貸発券制御部２２）と、
前記交換操作を受け付けたことに基づいて、前記貯蓄遊技媒体数特定情報から特定される貯蓄遊技媒体数である特定遊技媒体数（カードテーブルで記憶している貯玉数）が前記所定数以上であることを条件として、前記計数遊技媒体数の有無に関わらず、前記特定遊技媒体数から前記所定数を減算した減算結果を算出する（Ｓｉ０７ａ）減算結果算出手段（玉貸発券制御部２２）と、を有し、
前記通信手段は、前記貯蓄遊技媒体数が前記減算結果に従った貯蓄遊技媒体数となるように更新させるための更新要求（Ｓｉ１３ａ）を前記管理手段に対して送信し、
前記管理手段は、前記更新要求を受信したことに基づいて、前記貯蓄遊技媒体数が前記減算結果に従った貯蓄遊技媒体数となるように更新する（Ｓｉ１４ａ）貯蓄遊技媒体数更新手段をさらに有し、
前記通信手段は、前記管理手段から営業終了に際して送信される営業終了時処理要求（締め処理信号）を受信し（Ｓｎ０１）、
前記遊技用装置は、該営業終了時処理要求を受信したこと（Ｓｎ０１でＹＥＳ）に基づいて、前記計数遊技媒体数が有ること（Ｓｎ２１でＹＥＳ）を条件として、前記排出処理を行うことなく、該計数遊技媒体数を無効とするための無効化処理（Ｓｎ２２）を行う無効化処理手段（玉貸発券制御部２２）をさらに有することを特徴とする遊技用システムである。
この手段１１に係る遊技用システムによれば、営業終了に際して管理手段から営業終了時処理要求を送信するのみで、計数手段が計数した計数遊技媒体数を特定可能な計数遊技媒体数特定情報が記録された遊技用記録媒体を排出することなく、該計数遊技媒体数が無効とされるので、遊技用装置から排出されたカードを巡回探索して回収する必要や、回収したカードをカード処理機に持参して１枚ずつ挿入する必要がなく、営業終了時における作業負荷や作業時間を低減することができる。また管理手段が管理している貯蓄遊技媒体数を特定可能で該管理手段から受信した貯蓄遊技媒体数特定情報から特定される特定遊技媒体数が所望の物品との交換に必要な所定数以上であれば、計数手段が計数した計数遊技媒体数の有無に関わらず、特定遊技媒体数から所定数が減算されるので、特定遊技媒体数を優先的に物品の交換に使用することとなり、計数遊技媒体数が極力温存されることになる。その結果、特定遊技媒体数を使用した遊技媒体の払出に現時点で手数料を徴収している遊技場においては遊技者にとって有利となり、また現時点ではまだ手数料を徴収していない遊技場においては、将来手数料を徴収するようになった時点で遊技者にとって有利となる。
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】削除
【補正の内容】
【手続補正３２】
【補正対象書類名】明細書
【補正対象項目名】００３３
【補正方法】削除
【補正の内容】